(57)【要約】【課題】  １枚扉の上側だけに交差リンク式左右開き蝶番を取付した場合であっても、扉の自重等に影響をうけることなく、安全で安定的な扉の開閉動作を実現する。【解決手段】  １枚扉の上側に交差リンク式蝶番を取付し、１枚扉の右側及び左側にＵ型溝による着脱可能な蝶番を設け、又は１枚扉の右側及び左側に抜き差し可能なピン形状の蝶番を設けることにより扉動作は下記のように制限される。  扉が開状態にある時、抜き差し可能なピン形状の蝶番により扉は回転動作のみに制限される。  又、扉が開状態にある時、Ｕ型溝による着脱可能な蝶番により、Ｕ型溝の解放方向以外は回転動作のみが可能となる。【選択図】図１
0003151234.tif 000002
【実用新案登録請求の範囲】
【請求項１】
１枚扉の上部に交差リンク式左右開き蝶番を設け、１枚扉の右側及び左側にＵ型溝による着脱可能な蝶番を設け、かつ左右の門口部にＵ型溝による着脱可能な蝶番を保持する目的の丸棒軸を持つ保持蝶番からなる扉構造。
【請求項２】
１枚扉の上部に交差リンク式左右開き蝶番を設け、１枚扉の右側及び左側に抜き差し可能なピン形状の蝶番を設け、かつ左右の門口部に抜き差し可能なピン形状の蝶番を保持する目的の穴を持つ保持蝶番からなる扉構造。
【考案の詳細な説明】
【考案の詳細な説明】
【産業上の利用分野】
【０００１】  本考案は両開き扉の保持構造に関する。
【背景技術】
【０００２】  従来、リンク式機構付きの１枚扉の両側を開閉させる構造に於いては扉の上下両側にリンク機構を設ける必要があった。
実願平４−６４２８０や実願２００８−７６３１において提案した両側開き方式のようにこの方法を人が出入りする建築物における扉に応用した場合、特に扉の下側のリンク機構が人の出入りに大きな障害となる問題が発生する。
本考案における提案は実願２００８−９２０８において提案した交差リンク式左右開き蝶番の長所を生かしつつ、一方で扉の下側に於ける人の出入りの障害という問題を解決するものである。
【考案が解決しようとする課題】
【０００３】  そもそも扉の両側を開閉させる為に上側だけに交差リンク式左右開き蝶番を取り付けした場合、扉はその自重により垂れ下がり、正常な開閉操作が不可能となる。
又、冷蔵庫のようにピンとピンキャッチからなる左右開き方式も一般に知られているが、脱落防止とその制御の為横ズレ動作の問題がある。
一方で開閉交差リンク式左右開き蝶番は脱落の危険性が無い蝶番としてのメリットがある。
本考案は交差リンク式左右開き蝶番のメリットを生かしながら、一方で扉下側にリンクを使用せずに左右開きを実現するものである。
【課題を解決するための手段】
【０００４】  上記目的を達成する為に、本願請求項１の考案は扉の上側に対し交差リンク式左右開き蝶番を取付することから始まる。
この状態では扉の上部は交差リンク式左右開き蝶番にて扉の開閉動作は制限されているものの、扉の下部はなんら保持がされていないので、扉の自重により開閉動作のみならず扉はあらゆる方向に動いてしまい、安定的な扉の動作ができない。
そこで扉の右側及び左側にＵ型溝による着脱可能な蝶番を設け、かつ左右の門口部にＵ型溝による着脱可能な蝶番を保持する目的の丸棒軸を持つ保持蝶番を設けることにより、扉が閉状態の時は左右どちらからも開動作が可能となり、一旦扉が開状態となった場合はＵ型溝が扉と一緒に回転する為、Ｕ型溝の解放方向以外は回転動作のみが可能となる。
又、同時に扉の上部に交差リンク式左右開き蝶番を設け、１枚扉の右側及び左側に抜き差し可能なピン形状の蝶番を設け、かつ左右の門口部に抜き差し可能なピン形状の蝶番を保持する目的の保持蝶番を設けることにより、ロックハンドル等により扉側のピン形状の蝶番のピンを抜いた時のみ扉が保持蝶番から外れ、開動作が可能となる。
さらに、このロックハンドルを扉の左右に配置し、互いをリンクロットで連結すればロックハンドルの左右同時操作ができず、片側のみの操作が可能となるよう制限できる。
これら上記における、交差リンク式左右開き蝶番、Ｕ型溝による着脱可能な蝶番、抜き差し可能なピン形状の蝶番、ロックハンドル等を組み合わせることにより扉の動作は下記のように制限される。
扉が閉状態の時は抜き差し可能なピン形状の蝶番により、ロックハンドル等によるピンの操作が無い限り、扉は開動作ができない。
一方のロックハンドルを操作している時、反対側のロックハンドルの操作はできない。
扉が開状態にある時、抜き差し可能なピン形状の蝶番により扉は回転動作のみに制限される。
又、扉が開状態にある時、Ｕ型溝による着脱可能な蝶番により、Ｕ型溝の解放方向以外は回転動作のみが可能となる。
これらを組み合わせることにより、扉の上部のみに交差リンク式左右開き蝶番を取付した場合であっても安全で安定的な左右開き扉を提供できうる。
【考案を実施するための形態】
【０００５】  以下本考案にかかわる両開き扉の保持構造の実施の形態を図面に従って説明する。
【０００６】  図１に於いて、この状態は扉の閉状態における外観を示し、扉ａは交差リンク式左右開き蝶番ｂによって上部を保持し、Ｕ型溝による着脱可能な蝶番ｋおよび抜き差し可能なピン形状の蝶番ｇによっても保持されている。
又抜き差し可能なピン形状の蝶番ｇはロックハンドルｃによってリンクロットｄおよびリンクロットｆによって操作が可能な状態に連結されている。
【０００７】  図２に於いて、この状態は扉を支える門口の外観を示し、交差リンク式左右開き蝶番ｂ、Ｕ型溝による着脱可能な蝶番ｋおよび丸棒軸を持つ保持蝶番ｅ、抜き差し可能なピン形状の蝶番ｇおよび穴を持つ保持蝶番ｉが取付されている状態を示す。
【０００８】  図３に於いて、交差リンク式左右開き蝶番が右側を回転中心として動作している軌跡を示す。
【０００９】  図４に於いて、交差リンク式左右開き蝶番が左側を回転中心として動作している軌跡を示す
【００１０】  図５に於いて、交差リンク式左右開き蝶番が左右それぞれを回転中心として動作している軌跡を示す
【００１１】  図６に於いて、Ｕ型溝による着脱可能な蝶番ｋおよび丸棒軸を持つ保持蝶番ｅの離脱状態を示す。
【００１２】  図７に於いて、Ｕ型溝による着脱可能な蝶番ｋおよび丸棒軸を持つ保持蝶番ｅの回転状態を示す。
【００１３】  図８に於いて、扉の閉時におけるＵ型溝による着脱可能な蝶番ｋおよび丸棒軸を持つ保持蝶番ｅを示す。
【００１４】  図９に於いて、扉の開時におけるＵ型溝による着脱可能な蝶番ｋおよび丸棒軸を持つ保持蝶番ｅの回転状態を示す。
【００１５】  図１０に於いて、扉の閉時における抜き差し可能なピン形状の蝶番および穴を持つ保持蝶番を示す。
【００１６】  図１１に於いて、扉の開時における抜き差し可能なピン形状の蝶番および穴を持つ保持蝶番を示す。
【００１７】  以上本考案の実施の形態について説明してきたが、本考案はこれに限定されることなく請求項の記載の範囲内において各種の変形、変更が可能なことは該当業者には自明であろう。
【考案の効果】
【００１８】  以上説明したように、本考案による開閉機構によれば、扉の上部に対しだけ交差リンク式左右開き蝶番を取付する場合であっても、Ｕ型溝による着脱可能な蝶番及び抜き差し可能なピン形状の蝶番を併用することにより左右両側とも開閉可能な扉を安全な状態で提供できうる。
【図面の簡単な説明】
【図１】本考案に関わる扉の閉形態を示す正面図を示す。
【図２】本考案に関わる扉の門口を示す正面図を示す。
【図３】本考案に関わる交差リンク式左右開き蝶番の左側回転軌跡を示す。
【図４】本考案に関わる交差リンク式左右開き蝶番の右側回転軌跡を示す。
【図５】本考案に関わる交差リンク式左右開き蝶番の左右の回転軌跡を示す。
【図６】本考案に関わるＵ型溝による着脱可能な蝶番および丸棒軸を持つ保持蝶番の離脱状態を示す。
【図７】本考案に関わるＵ型溝による着脱可能な蝶番および丸棒軸を持つ保持蝶番の回転状態を示す。
【図８】扉の閉時におけるＵ型溝による着脱可能な蝶番および丸棒軸を持つ保持蝶番を示す。
【図９】扉の開時におけるＵ型溝による着脱可能な蝶番および丸棒軸を持つ保持蝶番の回転状態を示す。
【図１０】扉の閉時における抜き差し可能なピン形状の蝶番および穴を持つ保持蝶番を示す。
【図１１】扉の開時における抜き差し可能なピン形状の蝶番および穴を持つ保持蝶番を示す
【符号の説明】ａ、        扉本体
ｂ、        交差リンク式左右開き蝶番
ｃ、        ロックハンドル
ｄ、        リンクロット
ｅ、        丸棒軸を持つ保持蝶番
ｆ、        リンクロット
ｇ、        抜き差し可能なピン形状の蝶番
ｈ、        門口
ｉ、        穴を持つ保持蝶番
ｊ、        公差リンク式蝶番ベース
ｋ、        Ｕ型溝による着脱可能な蝶番
【図１】
0003151234.tif 000003
【図２】
0003151234.tif 000004
【図３】
0003151234.tif 000005
【図４】
0003151234.tif 000006
【図５】
0003151234.tif 000007
【図６】
0003151234.tif 000008
【図７】
0003151234.tif 000009
【図８】
0003151234.tif 000010
【図９】
0003151234.tif 000011
【図１０】
0003151234.tif 000012
【図１１】
0003151234.tif 000013